(57)【要約】【課題】キャリアアグリゲーション時において、不要な制御信号を低減し、効率的にハンドオーバの処理を行うことにより、システムの効率化及び接続性の安定性を実現する。【解決手段】本発明に係る無線基地局ｅＮＢは、移動局ＵＥに関して、通信中のセル又は隣接セルの無線品質の測定を指示する「Ｍｅａｓｕｒｅｍｅｎｔ制御信号」を送信するように構成されているＭｅａｓｕｒｅｍｅｎｔ制御信号送信部１０２と、移動局ＵＥから、無線品質の測定結果を通知する「Ｍｅａｓｕｒｅｍｅｎｔ  ｒｅｐｏｒｔ」を受信するように構成されているＭｅａｓｕｒｅｍｅｎｔ  ｒｅｐｏｒｔ受信部１０４とを具備し、「Ｍｅａｓｕｒｅｍｅｎｔ制御信号」は、キャリアアグリゲーションを行う候補となる１つ又は複数のセルの識別情報を含む。【選択図】図１
2011223115.tif 000002
【特許請求の範囲】
【請求項１】
移動局との間で、２つ以上のキャリアを用いた通信を行うことができるように構成されている無線基地局であって、
前記移動局に関して、通信中のセル又は隣接セルの無線品質の測定を指示する第１制御信号を送信するように構成されている第１制御信号送信部と、
前記移動局から、前記無線品質の測定結果を通知する第２制御信号を受信するように構成されている第２制御信号受信部とを具備し、
前記第１制御信号は、前記２つ以上のキャリアを用いた通信を行う候補となる１つ又は複数のセルの識別情報を含むことを特徴とする無線基地局。
【請求項２】
前記２つ以上のキャリアを用いた通信を行う候補となる１つ又は複数のセルの識別情報は、前記無線基地局配下のセルとの間で前記２つ以上のキャリアを用いた通信を行うことができる１つ又は複数のセルの識別情報であることを特徴とする請求項１に記載の無線基地局。
【請求項３】
無線基地局との間で、２つ以上のキャリアを用いた通信を行うことができるように構成されている移動局であって、
前記無線基地局から、通信中のセル又は隣接セルの無線品質の測定を指示する第１制御信号を受信するように構成されている第１制御信号受信部と、
前記無線品質の測定結果を通知する第２制御信号を送信するように構成されている第２制御信号送信部とを具備し、
前記第１制御信号は、前記２つ以上のキャリアを用いた通信を行う候補となる１つ又は複数のセルの識別情報を含むことを特徴とする移動局。
【請求項４】
前記２つ以上のキャリアを用いた通信を行う候補となる１つ又は複数のセルの識別情報は、前記無線基地局配下のセルとの間で前記２つ以上のキャリアを用いた通信を行うことができる１つ又は複数のセルの識別情報であることを特徴とする請求項３に記載の移動局。
【請求項５】
無線基地局との間で、２つ以上のキャリアを用いた通信を行うことができるように構成されている移動局における通信制御方法であって、
前記無線基地局から、通信中のセル又は隣接セルの無線品質の測定を指示する第１制御信号を受信する第１ステップと、
前記無線品質の測定結果を通知する第２制御信号を送信する第２ステップとを具備し、
前記第１制御信号は、前記２つ以上のキャリアを用いた通信を行う候補となる１つ又は複数のセルの識別情報を含むことを特徴とする通信制御方法。
【発明の詳細な説明】
【技術分野】
【０００１】
本発明は、無線基地局、移動局及び通信制御方法に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が行われた。
【０００３】
また、ＬＴＥ方式の後継の通信方式として、ＬＴＥ-ａｄｖａｎｃｅｄ方式が、３ＧＰＰで検討されている。ＬＴＥ-ａｄｖａｎｃｅｄ方式の要求条件は、非特許文献１にまとめられている。
【０００４】
ＬＴＥ-ａｄｖａｎｃｅｄ方式では、その要求条件として、「キャリアアグリゲーション（Ｃａｒｒｉｅｒ  ａｇｇａｒｅｇａｔｉｏｎ）」を行うことが合意されている。
【０００５】
「キャリアアグリゲーション」が行われる場合、移動局ＵＥは、同時に複数のキャリアを用いて下りリンクの信号を受信したり、同時に複数のキャリアを用いて上りリンクの信号を送信したりすることができる。
【０００６】
キャリアアグリゲーションが行われる場合の各キャリアは、「コンポーネントキャリア（Ｃｏｍｐｏｎｅｎｔ  Ｃａｒｒｉｅｒ）」と呼ばれる。また、「Ｃｏｍｐｏｎｅｎｔ  Ｃａｒｒｉｅｒ」は、省略して「ＣＣ」と呼ばれてもよい。
【０００７】
ところで、複数のセルを具備する移動通信システムでは、移動局ＵＥ（Ｕｓｅｒ  Ｅｑｕｉｐｍｅｎｔ：ユーザ装置）は、１つのセルから他のセルに移動するときに、セルを切り替えて通信を継続するように構成されている。かかるセルの切り替えを「ハンドオーバ」という。
【０００８】
一般的に、移動通信システムでは、移動局ＵＥが、隣接セルに移動し、かかる移動局ＵＥにおいて、隣接セルからの信号の無線品質が、サービングセル（Ｓｅｒｖｉｎｇ  Ｃｅｌｌ）からの信号の無線品質よりも良くなった場合に、当該移動局ＵＥは、隣接セルにハンドオーバを行うように構成されている。
【０００９】
なお、かかる信号の無線品質として、例えば、信号の受信電力が用いられる。ここで、かかる信号の受信電力は、より具体的には、例えば、サービングセル（通信中のセル）又は隣接セルから送信される下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）である（ＲＳＲＰの定義については、非特許文献２を参照）。
【００１０】
なお、かかる信号の無線品質として、ＲＳＲＰの代わりに、下りリンクの参照信号の受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）や、下りリンクの参照信号のＳＩＲ（ＲＳ-ＳＩＲ）や、ＣＱＩ（Ｃｈａｎｎｅｌ  Ｑｕａｌｉｔｙ  Ｉｎｄｉｃａｔｏｒ）や、ＣＳＩ（Ｃｈａｎｎｅｌ  Ｓｔａｔｅ  Ｉｎｆｏｒｍａｔｉｏｎ）等が用いられることもある。
【００１１】
図４及び図５を参照して、かかるハンドオーバ手順の一例について、具体的に説明する。以下の説明では、信号の受信電力（ＲＳＲＰ）が、前記信号の無線品質として用いられる。
【００１２】
図４に示すように、ステップＳ１において、移動局ＵＥは、サービングセル及び隣接セルからの信号の受信電力を測定する。また、移動局ＵＥは、検知していない隣接セルを検知するために、かかる測定と並行して、セルサーチを行ってもよい。本処理におけるセルサーチ及びサービングセル及び隣接セルの無線品質（受信電力）の測定は、総称して、「メジャメント（Ｍｅａｓｕｒｅｍｅｎｔ）」と呼ばれてもよい。
【００１３】
ステップＳ２において、移動局ＵＥは、隣接セルからの信号の受信電力が、以下の（式１）を満たすか否かについて判定する。
【００１４】
（隣接セルからの信号の受信電力）    ＞  （サービングセルからの信号の受信電力）＋  （ヒステリシス）  …  （式１）
【００１５】
かかる（式１）が満たされていると判定された場合、ステップＳ２において、移動局ＵＥは、上述の測定結果を報告するためのイベントＡ３を、ネットワークに対して通知する。ここで、かかるネットワークとは、具体的には、例えば、無線基地局ｅＮＢである。
【００１６】
具体的には、移動局ＵＥは、図５に示すように、サービングセル（セルＡ）及び監視対象の隣接セル（セルＢ）からの信号の受信電力を測定し、予め通知されている「ヒステリシス［ｄＢ］」及び「ＴＴＴ（Ｔｉｍｅ  Ｔｏ  Ｔｒｉｇｇｅｒ）［ｍｓ］」を用いて、上述の測定結果を通知するか否かについて判定する。
【００１７】
つまり、図５において、所定期間「ＴＴＴ」以上、セルＢからの信号の受信電力（無線品質）が、「ヒステリシス」以上、セルＡからの信号の受信電力（無線品質）よりも上回っている状態が継続している場合、移動局ＵＥは、上述の測定結果を通知する「Ｍｅａｓｕｒｅｍｅｎｔ  ｒｅｐｏｒｔ」を送信するべきであると判定する。
【００１８】
ここで、「ヒステリシス」は、セル境界でサービングセルから隣接セルへのハンドオーバが頻繁に生じないために設けられる値であり、正の値でもよく、負の値でもよいが、一般的には正の値が設定される。
【００１９】
そして、ステップＳ３において、ネットワークは、イベントＡ３の通知を受信すると、かかる移動局ＵＥが、受信したイベントＡ３に係るセルに対してハンドオーバすべきであることを決定する。
【００２０】
なお、（式１）は、以下の（式２）のような形がとられる場合もある。（式２）の場合、ヒステリシス及びオフセットの両方が、ヒステリシス的に動作する。
【００２１】
（隣接セルからの信号の受信電力）  ―  （ヒステリシス）  ＞  （サービングセルからの信号の受信電力）  ＋  （オフセット）  …  （式２）
【００２２】
ところで、移動局ＵＥは、キャリアアグリゲーションを行っていない状態から、キャリアアグリゲーションを新規に行う場合、例えば、図６に示すように、イベントＡ４を用いて、キャリアアグリゲーションを行うべきセルが存在することを無線基地局ｅＮＢ＃１１（セル＃１-Ｃ）に通知してもよい。
【００２３】
すなわち、移動局ＵＥは、セル＃１-Ａ及びセル＃１-Ｂに位置する場合には、セル＃２-Ａ及びセル＃２-Ｂが存在しないため、キャリアアグリゲーションを行わないが、図６に示すポイントＡにおいて、セル＃２-Ｃが存在することを検知し、イベントＡ４を通知する「Ｍｅａｓｕｒｅｍｅｎｔ  ｒｅｐｏｒｔ」を無線基地局ｅＮＢ＃１１に通知する。
ここで、イベントＡ４とは、隣接セルからの信号の無線品質が所定の閾値以上であるか否かを判定するイベントである。すなわち、移動局ＵＥは、隣接セルからの信号の受信電力が、以下の（式３）を満たすか否かについて判定し、かかる（式３）が満たされていると判定された場合、イベントＡ４の測定結果を「Ｍｅａｓｕｒｅｍｅｎｔ  ｒｅｐｏｒｔ」として、無線基地局ｅＮＢに通知する。
【００２４】
（隣接セルからの信号の受信電力）    ＞  （閾値）  …  （式３）
【先行技術文献】
【非特許文献】
【００２５】
【非特許文献１】３ＧＰＰ  ＴＳ３６.９１３（Ｖ８.０.１）
【非特許文献２】３ＧＰＰ  ＴＳ３６.３００  Ｖ８.５.０（２００８年５月）
【発明の概要】
【発明が解決しようとする課題】
【００２６】
上述したように、移動局ＵＥは、キャリアアグリゲーションを開始する場合には、キャリアアグリゲーションが行われていないコンポーネントキャリアに関して、上述した隣接セルからの信号の無線品質の測定を行い、かかる隣接セルからの信号の無線品質が所定の閾値を超える場合に、イベントＡ４の測定結果を「Ｍｅａｓｕｒｅｍｅｎｔ  ｒｅｐｏｒｔ」として無線基地局ｅＮＢに通知する。
【００２７】
しかしながら、一般に、「キャリアアグリゲーションを行う場合の複数のコンポーネントキャリアは、同じ無線基地局ｅＮＢ配下でなければならない」という制約が存在する。
【００２８】
これは、ＲＬＣ/ＰＤＣＰレイヤの処理は、キャリアアグリゲーションを行う場合にも、複数のコンポーネントキャリアで共通であり、異なる無線基地局ｅＮＢのセル間では、共通のＲＬＣ/ＰＤＣＰレイヤの処理を行うことが不可能であるためである。
【００２９】
この場合、図７に示すように、セル＃１-Ａ及びセル＃１-Ｂが、無線基地局ｅＮＢ＃１０に属し、セル＃１-Ｃやセル＃１-Ｄやセル＃２-Ｃやセル＃２-Ｄが、無線基地局ｅＮＢ１１に属する場合、ポイントＡで、移動局ＵＥが、セル＃１-Ｃからの信号の無線品質が所定の閾値以上であることを通知するイベントＡ４の測定結果を「Ｍｅａｓｕｒｅｍｅｎｔ  ｒｅｐｏｒｔ」として無線基地局ｅＮＢ＃１０（セル＃１-Ｂ）に通知したとしても、無線基地局ｅＮＢ＃１０（セル＃１-Ｂ）は、セル＃２-Ｃを、キャリアアグリゲーションを行うセル（コンポーネントキャリア）として追加することができない。
【００３０】
この場合、移動局ＵＥが、その場所に静止すると、セル＃１-Ｃからの信号の無線品質は、常に所定の閾値以上であり、イベントＡ４の測定結果を通知する「Ｍｅａｓｕｒｅｍｅｎｔ  ｒｅｐｏｒｔ」が繰り返し送信されることになり、オーバーヘッドが大きくなるという問題点が生じる。
【００３１】
なお、上述した「キャリアアグリゲーションを行うことができるコンポーネントキャリアは、同じ無線基地局ｅＮＢ配下でなければならない」という制約は、「キャリアアグリゲーションを行うことができるコンポーネントキャリアは、所定の１つ以上の無線基地局ｅＮＢ配下でなければならない」という制約であってもよい。
【００３２】
すなわち、異なる無線基地局の配下のセル間であっても、異なる無線基地局間の連携が密である場合には、キャリアアグリゲーションが行われてもよい。例えば、異なる２つ以上の無線基地局で「ＣｏＭＰ」を行う場合には、キャリアアグリゲーションが行われてもよい。
【００３３】
そこで、本発明は、上述の課題に鑑みてなされたものであり、キャリアアグリゲーション時において、不要な制御信号を低減し、効率的にハンドオーバの処理を行うことにより、システムの効率化及び接続性の安定性を実現することができる無線基地局、移動局及び通信制御方法を提供することを目的とする。
【課題を解決するための手段】
【００３４】
本発明の第１の特徴は、移動局との間で、２つ以上のキャリアを用いた通信を行うことができるように構成されている無線基地局であって、前記移動局に関して、通信中のセル又は隣接セルの無線品質の測定を指示する第１制御信号を送信するように構成されている第１制御信号送信部と、前記移動局から、前記無線品質の測定結果を通知する第２制御信号を受信するように構成されている第２制御信号受信部とを具備し、前記第１制御信号は、前記２つ以上のキャリアを用いた通信を行う候補となる１つ又は複数のセルの識別情報を含むことを要旨とする。
【００３５】
本発明の第２の特徴は、無線基地局との間で、２つ以上のキャリアを用いた通信を行うことができるように構成されている移動局であって、前記無線基地局から、通信中のセル又は隣接セルの無線品質の測定を指示する第１制御信号を受信するように構成されている第１制御信号受信部と、前記無線品質の測定結果を通知する第２制御信号を送信するように構成されている第２制御信号送信部とを具備し、前記第１制御信号は、前記２つ以上のキャリアを用いた通信を行う候補となる１つ又は複数のセルの識別情報を含むことを要旨とする。
【００３６】
本発明の第３の特徴は、無線基地局との間で、２つ以上のキャリアを用いた通信を行うことができるように構成されている移動局における通信制御方法であって、前記無線基地局から、通信中のセル又は隣接セルの無線品質の測定を指示する第１制御信号を受信する第１ステップと、前記無線品質の測定結果を通知する第２制御信号を送信する第２ステップとを具備し、前記第１制御信号は、前記２つ以上のキャリアを用いた通信を行う候補となる１つ又は複数のセルの識別情報を含むことを要旨とする。
【発明の効果】
【００３７】
以上説明したように、本発明によれば、キャリアアグリゲーション時において、不要な制御信号を低減し、効率的にハンドオーバの処理を行うことにより、システムの効率化及び接続性の安定性を実現することができる無線基地局、移動局及び通信制御方法を提供することができる。
【図面の簡単な説明】
【００３８】
【図１】本発明の第１の実施形態に係る無線基地局の機能ブロック図である。
【図２】本発明の第１の実施形態に係る移動局の機能ブロック図である。
【図３】本発明の第１の実施形態に係る移動局の動作を示すフローチャートである。
【図４】従来の移動通信システムの動作を示すフローチャートである。
【図５】従来の移動通信システムの動作を説明するための図である。
【図６】従来の移動通信システムの動作を説明するための図である。
【図７】従来の移動通信システムの動作を説明するための図である。
【発明を実施するための形態】
【００３９】
（本発明の第１の実施形態に係る移動通信システム）
図１乃至図３を参照して、本発明の第１の実施形態に係る移動通信システムについて説明する。
【００４０】
本実施形態に係る移動通信システムは、例えば、ＬＴＥ-Ａｄｖａｎｃｅｄ方式が適用されるシステムである。すなわち、本実施形態に係る移動通信システムは、無線基地局ｅＮＢと、無線基地局ｅＮＢと通信する移動局ＵＥとを具備し、無線基地局ｅＮＢ及び移動局ＵＥは、ＬＴＥ-Ａｄｖａｎｃｅｄ方式を用いて、通信を行うように構成されている。
【００４１】
ＬＴＥ-Ａｄｖａｎｃｅｄ方式が適用される場合には、「キャリアアグリゲーション」が適用されてもよい。すなわち、上りリンク又は下りリンクにおいて、コンポーネントキャリアを複数用いた通信が行われる。
【００４２】
ここで、コンポーネントキャリアとは、ＬＴＥ方式における１つのシステムキャリアに相当する。すなわち、ＬＴＥ方式では、１つのコンポーネントキャリアで通信が行われていたが、ＬＴＥ-Ａｄｖａｎｃｅｄ方式では、２つ以上のコンポーネントキャリアで通信が行われてもよい。
【００４３】
本実施形態に係る移動通信システムでは、図７に示すように、セル＃１-Ａやセル＃１-Ｂやセル＃１-Ｃやセル＃１-Ｄにおいて、コンポーネントキャリア＃１が用いられており、セル＃２-Ｃやセル＃２-Ｄにおいて、コンポーネントキャリア＃２が用いられている。
【００４４】
また、本実施形態に係る移動通信システムでは、図７に示すように、セル＃１-Ａ及びセル＃１-Ｂが、無線基地局ｅＮＢ＃１０に属しており、セル＃１-Ｃやセル＃１-Ｄやセル＃２-Ｃやセル＃２-Ｄが、無線基地局ｅＮＢ１１に属している。
【００４５】
なお、図７に示すように、セル＃２-Ｃは、セル＃１-Ｂ及びセル＃１-Ｃと地理的に重複しており、セル＃２-Ｄは、セル＃１-Ｃ及びセル＃１-Ｄと地理的に重複している。
【００４６】
図１に示すように、無線基地局ｅＮＢは、Ｍｅａｓｕｒｅｍｅｎｔ制御信号送信部１０２と、Ｍｅａｓｕｒｅｍｅｎｔ  ｒｅｐｏｒｔ受信部１０４と、ハンドオーバ制御部１０６と、隣接セル情報管理部１０８とを具備している。
【００４７】
隣接セル情報管理部１０８は、無線基地局ｅＮＢ配下のセルの識別情報（例えば、ＰＣＩ：Ｐｈｙｓｉｃａｌ  Ｃｅｌｌ  ＩＤ）を管理するように構成されている。
【００４８】
なお、隣接セル情報管理部１０８は、無線基地局ｅＮＢ配下のセルの識別情報（例えば、ＰＣＩ：Ｐｈｙｓｉｃａｌ  Ｃｅｌｌ  ＩＤ）に加えて、無線基地局ｅＮＢ配下のセルの周波数に関する情報も管理するように構成されていてもよい。ここで、かかるセルの周波数とは、下りリンクの周波数であってもよいし、上りリンクの周波数であってもよい。
【００４９】
また、隣接セル情報管理部１０８は、無線基地局ｅＮＢ配下のセルとの間でキャリアアグリゲーションを行うことができるセルの識別情報を管理するように構成されていてもよい。
【００５０】
なお、隣接セル情報管理部１０８は、無線基地局ｅＮＢ配下のセルとの間でキャリアアグリゲーションを行うことができるセルの識別情報（例えば、ＰＣＩ：Ｐｈｙｓｉｃａｌ  Ｃｅｌｌ  ＩＤ）に加えて、無線基地局ｅＮＢ配下のセルとの間でキャリアアグリゲーションを行うことができるセルの周波数に関する情報も管理するように構成されていてもよい。ここで、かかるセルの周波数とは、下りリンクの周波数であってもよいし、上りリンクの周波数であってもよい。
【００５１】
また、隣接セル情報管理部１０８は、無線基地局ｅＮＢ配下でないセルであっても、すなわち、隣接する無線基地局ｅＮＢ配下であるセルであっても、そのセルとキャリアアグリゲーションを行うことができるのであれば、上述した「無線基地局ｅＮＢ配下のセルとの間でキャリアアグリゲーションを行うことができるセル」として、その識別情報を管理するように構成されていてもよい。
【００５２】
Ｍｅａｓｕｒｅｍｅｎｔ制御信号送信部１０２は、無線基地局ｅＮＢ配下のセル内の移動局ＵＥに対して、「Ｍｅａｓｕｒｅｍｅｎｔ」を行うように指示する「Ｍｅａｓｕｒｅｍｅｎｔ制御信号」を送信する際に、キャリアアグリゲーションを行う候補となる１つ又は複数のセルの識別情報を通知するように構成されている。
【００５３】
例えば、Ｍｅａｓｕｒｅｍｅｎｔ制御信号送信部１０２は、無線基地局ｅＮＢ配下のセル内の移動局ＵＥに対して、無線基地局ｅＮＢ配下の１つ又は複数のセルの識別情報（例えば、ＰＣＩのリスト）或いは無線基地局ｅＮＢ配下のセルとの間でキャリアアグリゲーションを行うことができる１つ又は複数のセルの識別情報（例えば、ＰＣＩのリスト）を含む「Ｍｅａｓｕｒｅｍｅｎｔ制御信号」を送信するように構成されていてもよい。
【００５４】
なお、かかるＭｅａｓｕｒｅｍｅｎｔ制御信号には、上述したセルの識別情報に加えて、かかるセルの周波数に関する情報が含まれてもよい。ここで、かかる周波数に関する情報とは、例えば、下りリンクの周波数であってもよいし、或いは、上りリンクの周波数であってもよい。
【００５５】
また、上述した、無線基地局ｅＮＢ配下の１つ又は複数のセルの識別情報（例えば、ＰＣＩのリスト）或いは無線基地局ｅＮＢ配下のセルとの間でキャリアアグリゲーションを行うことができる１つ又は複数のセルの識別情報（例えば、ＰＣＩのリスト）は、イベントごとに、そのような識別情報が送信されるか否かについて指定されてもよい。
【００５６】
例えば、イベントＡ４に関しては、かかるＰＣＩのリストが通知され、イベントＡ３に関しては、かかるＰＣＩのリストが通知されないという処理が行われてもよい。この場合、無線基地局ｅＮＢから移動局ＵＥに関して、かかるＰＣＩのリストを使用するか否かについて示す指示信号が、イベントごとに通知されてもよい。
【００５７】
また、Ｍｅａｓｕｒｅｍｅｎｔ制御信号送信部１０２は、報知情報又はＲＲＣメッセージによって、かかる「Ｍｅａｓｕｒｅｍｅｎｔ制御信号」を送信するように構成されていてもよい。
【００５８】
Ｍｅａｓｕｒｅｍｅｎｔ  ｒｅｐｏｒｔ受信部１０４は、無線基地局ｅＮＢ配下のセル内の移動局ＵＥから、無線品質の測定結果を通知する「Ｍｅａｓｕｒｅｍｅｎｔ  ｒｅｐｏｒｔ」を受信するように構成されている。
【００５９】
ハンドオーバ制御部１０６は、Ｍｅａｓｕｒｅｍｅｎｔ  ｒｅｐｏｒｔ受信部１０４によって受信された「Ｍｅａｓｕｒｅｍｅｎｔ  ｒｅｐｏｒｔ」に含まれる無線品質の測定結果に基づいて、かかる移動局ＵＥに関してハンドオーバを行うべきか否かについて判定するように構成されている。
【００６０】
図２に示すように、移動局ＵＥは、測定部２０２と、判定部２０４と、Ｍｅａｓｕｒｅｍｅｎｔ  ｒｅｐｏｒｔ送信部２０６と、Ｍｅａｓｕｒｅｍｅｎｔ制御信号受信部２０８と、隣接セル情報管理部２１０とを具備している。
【００６１】
Ｍｅａｓｕｒｅｍｅｎｔ制御信号受信部２０８は、無線基地局ｅＮＢから、通信中のセル又は隣接セルの無線品質の測定を指示する「Ｍｅａｓｕｒｅｍｅｎｔ制御信号」を受信するように構成されている。
【００６２】
隣接セル情報管理部２１０は、Ｍｅａｓｕｒｅｍｅｎｔ制御信号受信部２０８によって受信された「Ｍｅａｓｕｒｅｍｅｎｔ制御信号」に含まれているキャリアアグリゲーションを行う候補となる１つ又は複数のセルの識別情報（例えば、ＰＣＩのリスト）を管理するように構成されている。
【００６３】
なお、かかるＭｅａｓｕｒｅｍｅｎｔ制御信号には、上述したセルの識別情報に加えて、かかるセルの周波数に関する情報が含まれてもよい。ここで、かかる周波数に関する情報とは、例えば、下りリンクの周波数であってもよいし、或いは、上りリンクの周波数であってもよい。
【００６４】
なお、かかるＭｅａｓｕｒｅｍｅｎｔ制御信号には、キャリアアグリゲーションを行う候補となる１つ又は複数のセルの識別情報（例えば、ＰＣＩのリスト）の代わりに、無線基地局ｅＮＢ配下の１つ又は複数のセルの識別情報（例えば、ＰＣＩのリスト）が含まれていてもよい。
【００６５】
測定部２０２は、通信中のセル又は隣接セルに関して、その無線品質を測定するように構成されている。ここで、上述した「通信中のセル又は隣接セルに関して、その無線品質を測定する」とは、より具体的には、例えば、セルサーチを行い、かつ、セルサーチにより検出されたセルの無線品質を測定するというメジャメントの処理である。
【００６６】
判定部２０４は、「Ｍｅａｓｕｒｅｍｅｎｔ制御信号」によって指定されている通信中のセル又は隣接セルに関して、測定部２０２によって測定された通信中のセル又は隣接セルの無線品質に応じて、各イベントＡ１〜Ａ５に係る判定処理を行うように構成されている。
【００６７】
かかる「Ｍｅａｓｕｒｅｍｅｎｔ制御信号」によって指定されている通信中のセル又は隣接セルは、例えば、前記無線基地局ｅＮＢ配下のセルの識別情報（例えば、ＰＣＩ：Ｐｈｙｓｉｃａｌ  Ｃｅｌｌ  ＩＤ）に含まれるセルであってもよいし、或いは、無線基地局ｅＮＢ配下のセルとの間でキャリアアグリゲーションを行うことができるセルの識別情報に含まれるセルであってもよい。
【００６８】
具体的には、判定部２０４は、キャリアアグリゲーションを行う候補となる１つ又は複数のセルに関してのみ、イベントＡ４に係る判定処理を行うように構成されている。
【００６９】
或いは、判定部２０４は、キャリアアグリゲーションを行う候補となる１つ又は複数のセルに関してのみ、イベントＡ３及びＡ５に係る判定処理を行うように構成されていてもよい。
【００７０】
なお、判定部２０４は、イベントＡ４に関しては、キャリアアグリゲーションを行う候補となる１つ又は複数のセルに関してのみ、イベントＡ４に係る判定処理を行い、イベントＡ３及びＡ５に関しては、全てのセルに関して、イベントＡ３及びＡ５に係る判定処理を行うように構成されていてもよい。
【００７１】
すなわち、判定部２０４は、イベントごとに、キャリアアグリゲーションを行う候補となる１つ又は複数のセルに関してのみ判定を行うか、或いは、全てのセルに関して判定を行うかを選択できるように構成されていてもよい。
【００７２】
ここで、かかる全てのセルとは、例えば、測定部２０２がセルサーチ及びメジャメントの処理により検出することができた、全てのセルであってもよい。
【００７３】
具体的には、判定部２０４は、隣接セルからの信号の受信電力（ＲＳＲＰ）が、以下の（式４）を満たすか否かについて判定し、かかる（式４）が満たされていると判定された場合、イベントＡ３を検出するように構成されていてもよい。
【００７４】
（隣接セルからの信号の受信電力）  ＋  （ヒステリシス）  ＞  （サービングセルからの信号の受信電力）  …  （式４）
【００７５】
ここで、判定部２０４は、キャリアアグリゲーションを行う候補となる１つ又は複数のセルに含まれる隣接セルに関して、かかる（式４）が満たされるか否かについて判定してもよい。
【００７６】
また、判定部２０４は、サービングセルからの信号の受信電力及び隣接セルからの信号の電力が、以下の（式５）を満たすか否かについて判定し、かかる（式５）が満たされていると判定された場合、イベントＡ５を検出するように構成されていてもよい。
【００７７】
（サービングセルからの信号の受信電力）    ＜  （第４閾値）  、かつ、
（隣接セルからの信号の受信電力）    ＞  （第５閾値）  …  （式５）
【００７８】
ここで、判定部２０４は、キャリアアグリゲーションを行う候補となる１つ又は複数のセルに含まれる隣接セルに関して、かかる式５が満たされるか否かについて判定してもよい。
Ｍｅａｓｕｒｅｍｅｎｔ  ｒｅｐｏｒｔ送信部２０６は、判定部２０４によってイベントＡ１〜Ａ５が検出された場合に、無線基地局ｅＮＢに対して、無線品質の測定結果を通知する「Ｍｅａｓｕｒｅｍｅｎｔ  ｒｅｐｏｒｔ」を送信するように構成されている。
【００７９】
なお、上述した例においては、測定部２０２が、セルサーチにより検出された全てのセルの無線品質を測定し、判定部２０４が、「Ｍｅａｓｕｒｅｍｅｎｔ制御信号」によって指定されている通信中のセル又は隣接セルに関して、各イベントに係る判定処理を行う場合を示したが、代わりに、測定部２０２が、「Ｍｅａｓｕｒｅｍｅｎｔ制御信号」によって指定されている通信中のセル又は隣接セルの無線品質を測定し、判定部２０４は、測定部２０２により測定された通信中のセル又は隣接セルに関して、各イベントに係る判定処理を行ってもよい。
【００８０】
以下、図３を参照して、本実施形態に係る移動局ＵＥの動作について説明する。
【００８１】
図３に示すように、ステップＳ１０１において、無線基地局ｅＮＢ配下のセル内の移動局ＵＥは、無線基地局ｅＮＢから、キャリアアグリゲーションを行う候補となる１つ又は複数のセル（ＣＡ候補セル）の識別情報として、無線基地局ｅＮＢ配下のセルの識別情報を取得する。
【００８２】
ステップＳ１０２において、移動局ＵＥは、セルサーチにより検出された通信中のセル又は隣接セルのうち、キャリアアグリゲーションを行う候補となる１つ又は複数のセルの識別情報によって特定されるセルに関してのみ、各イベントＡ１〜Ａ５に係る判定処理を行う。
【００８３】
ステップＳ１０３において、移動局ＵＥは、イベントＡ１〜Ａ５を検出した場合に、無線基地局ｅＮＢに対して、無線品質の測定結果を通知する「Ｍｅａｓｕｒｅｍｅｎｔ  ｒｅｐｏｒｔ」を送信する。
【００８４】
本実施形態に係る移動通信システムによれば、キャリアアグリゲーションを行うことができないセルに関しては、「Ｍｅａｓｕｒｅｍｅｎｔ  ｒｅｐｏｒｔ」の送信を排除することによって、シグナリングのオーバーヘッドを低減することができる。
【００８５】
例えば、本実施形態に係る移動通信システムによれば、図７の例において、セル＃１-Ｂ内の移動局ＵＥが、ポイントＡに存在する場合には、無線基地局ｅＮＢ＃１０が、かかる移動局ＵＥに対して、キャリアアグリゲーションを行う候補となる１つ又は複数のセルとして、セル＃２-Ｃの識別情報を通知しないため、移動局ＵＥは、セル＃２-Ｃに関して、イベントＡ４（或いは、イベントＡ３及びＡ５）の判定処理を行わず、無駄な「Ｍｅａｓｕｒｅｍｅｎｔ  ｒｅｐｏｒｔ」の送信を回避することができる。
【００８６】
以上に述べた実施形態の特徴は、以下のように表現されていてもよい。
【００８７】
本実施形態の第１の特徴は、移動局ＵＥとの間で、キャリアアグリゲーション（２つ以上のキャリアを用いた通信）を行うことができるように構成されている無線基地局ｅＮＢであって、移動局ＵＥに関して、通信中のセル（サービングセル）又は隣接セルの無線品質の測定を指示する「Ｍｅａｓｕｒｅｍｅｎｔ制御信号（第１制御信号）」を送信するように構成されているＭｅａｓｕｒｅｍｅｎｔ制御信号送信部（第１制御信号送信部）１０２と、移動局ＵＥから、無線品質の測定結果を通知する「Ｍｅａｓｕｒｅｍｅｎｔ  ｒｅｐｏｒｔ（第２制御信号）」を受信するように構成されているＭｅａｓｕｒｅｍｅｎｔ  ｒｅｐｏｒｔ受信部（第２制御信号受信部）１０４とを具備し、「Ｍｅａｓｕｒｅｍｅｎｔ制御信号」は、キャリアアグリゲーションを行う候補となる１つ又は複数のセルの識別情報（ＰＣＩ）を含むことを要旨とする。
【００８８】
本実施形態の第１の特徴において、キャリアアグリゲーションを行う候補となる１つ又は複数のセルの識別情報は、無線基地局ｅＮＢ配下のセルとの間でキャリアアグリゲーションを行うことができる１つ又は複数のセルの識別情報であってもよい。
【００８９】
本実施形態の第２の特徴は、無線基地局ｅＮＢとの間で、キャリアアグリゲーションを行うことができるように構成されている移動局ＵＥであって、無線基地局ｅＮＢから、通信中のセル又は隣接セルの無線品質の測定を指示する「Ｍｅａｓｕｒｅｍｅｎｔ制御信号」を受信するように構成されているＭｅａｓｕｒｅｍｅｎｔ制御信号受信部（第１制御信号受信部）２０８と、無線品質の測定結果を通知する「Ｍｅａｓｕｒｅｍｅｎｔ  ｒｅｐｏｒｔ」を送信するように構成されているＭｅａｓｕｒｅｍｅｎｔ  ｒｅｐｏｒｔ送信部（第２制御信号送信部）２０６とを具備し、「Ｍｅａｓｕｒｅｍｅｎｔ制御信号」は、キャリアアグリゲーションを行う候補となる１つ又は複数のセルの識別情報を含むことを要旨とする。
【００９０】
本実施形態の第２の特徴において、キャリアアグリゲーションを行う候補となる１つ又は複数のセルの識別情報は、無線基地局ｅＮＢ配下のセルとの間でキャリアアグリゲーションを行うことができる１つ又は複数のセルの識別情報であってもよい。
【００９１】
本実施形態の第３の特徴は、無線基地局ｅＮＢとの間で、キャリアアグリゲーションを行うことができるように構成されている移動局ＵＥにおける通信制御方法であって、無線基地局ｅＮＢから、通信中のセル又は隣接セルの無線品質の測定を指示する「Ｍｅａｓｕｒｅｍｅｎｔ制御信号」を受信する第１ステップと、無線品質の測定結果を通知する「Ｍｅａｓｕｒｅｍｅｎｔ  ｒｅｐｏｒｔ」を送信する第２ステップとを具備し、「Ｍｅａｓｕｒｅｍｅｎｔ制御信号」は、キャリアアグリゲーションを行う候補となる１つ又は複数のセルの識別情報を含むことを要旨とする。
【００９２】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００９６】
ｅＮＢ…無線基地局
１０２…Ｍｅａｓｕｒｅｍｅｎｔ制御信号送信部
１０４…Ｍｅａｓｕｒｅｍｅｎｔ  ｒｅｐｏｒｔ受信部
１０６…ハンドオーバ制御部
１０８…隣接セル情報管理部
ＵＥ…移動局
２０２…測定部
２０４…判定部
２０６…Ｍｅａｓｕｒｅｍｅｎｔ  ｒｅｐｏｒｔ送信部
２０８…Ｍｅａｓｕｒｅｍｅｎｔ制御信号受信部
２１０…隣接セル情報管理部
【図１】
2011223115.tif 000003
【図２】
2011223115.tif 000004
【図３】
2011223115.tif 000005
【図４】
2011223115.tif 000006
【図５】
2011223115.tif 000007
【図６】
2011223115.tif 000008
【図７】
2011223115.tif 000009